(57)【要約】【課題】画像データを取得した画像送信装置が、通信装置からの指示により設定された宛先情報が示す宛先に、前記画像データを送信する画像送信システム、該画像送信システムに利用する画像送信装置及び通信装置を提供する。【解決手段】携帯電話機３が、ユーザにより設定されたファクシミリ番号を、ブルートゥースに対応する宛先信号としてファクシミリ装置１へ送信し、この宛先信号を受信したファクシミリ装置１が、受信した宛先信号が示す他のファクシミリ装置へ、取得した画像データを送信する。また、ファクシミリ装置１による前記画像データの送信処理に必要となった料金を、携帯電話機３がブルートゥースに対応した電子マネー信号により送信する。【選択図】        図２
2004165737.tif 000002
【特許請求の範囲】
【請求項１】
画像データ及び該画像データを送信する宛先情報を取得し、取得した画像データを、前記宛先情報が示す宛先へ送信する画像送信装置と、
前記宛先情報を設定する通信装置とを備える画像送信システムにおいて、
前記通信装置は、設定された前記宛先情報を、無線通信方式に対応する宛先信号として前記画像送信装置へ送信する手段を備え、
前記画像送信装置は、前記通信装置から受信した宛先信号が示す宛先へ、前記画像データを送信する送信手段と、該送信手段による前記画像データの送信処理に必要な料金を算出する算出手段と、該算出手段により算出された料金を通知する料金通知信号を、前記無線通信方式により前記通信装置へ送信する料金通知手段とを備えることを特徴とする画像送信システム。
【請求項２】
前記通信装置は、受信した前記料金通知信号に対応する料金信号を、前記無線通信方式により前記画像送信装置へ送信する料金送信手段を備え、
前記画像送信装置は、前記通信装置から前記料金信号を受信する料金受信手段を備えることを特徴とする請求項１に記載の画像送信システム。
【請求項３】
画像データ及び該画像データを送信する宛先情報を取得し、取得した画像データを、前記宛先情報が示す宛先へ送信する画像送信装置において、
前記宛先情報を、無線通信方式に対応する宛先信号として受信する受信手段と、該受信手段により受信した宛先信号が示す宛先へ前記画像データを送信する送信手段と、該送信手段による前記画像データの送信処理に必要な料金を算出する算出手段と、該算出手段により算出された料金を通知する料金通知信号を、前記無線通信方式により外部へ送信する料金通知手段とを備えることを特徴とする画像送信装置。
【請求項４】
宛先情報を設定する通信装置において、
設定された前記宛先情報を、無線通信方式に対応する宛先信号として外部へ送信する手段と、外部から料金を通知する料金通知信号を、前記無線通信方式により受信する受信手段と、該受信手段により受信した料金通知信号に対応する料金信号を、前記無線通信方式により外部へ送信する料金送信手段とを備えることを特徴とする通信装置。
【発明の詳細な説明】
【０００１】
【発明の属する技術分野】
本発明は、取得した画像データを、取得した宛先情報が示す宛先へ送信する画像送信システム、該画像送信システムを構成する画像送信装置及び通信装置に関するものである。
【０００２】
【従来の技術】
携帯電話機，ファクシミリ装置及び据え置き電話機等の通信装置には、通信相手の電話番号，相手先名等を含む電話帳データを登録する機能を備えるものがある。最近では、かな漢字変換によって電話帳データに漢字を入力することができる装置も存在する。
また、コンピュータにインストールすることにより、上述のような入力をせずに、コンピュータにおいて作成された電話帳データを各装置に転送するソフトウェアも提供されており、このようなソフトウェアを用いることにより、各装置に電話帳データを夫々入力する手間を省くことができる。
【０００３】
更には、インターネット等の通信ネットワーク上にサーバ装置を備え、このサーバ装置に、上述のように作成された電話帳データをアップロードしておき、サーバ装置から、ファクシミリ装置，電話機等の各装置に電話帳データをダウンロードすることにより、各装置に電話帳データを登録するシステムもある（例えば、特許文献１参照）。
【０００４】
【特許文献１】
特開２０００−１２４９８５号公報
【０００５】
【発明が解決しようとする課題】
しかし、上述したように、予めコンピュータ又はサーバ装置において記憶してある電話帳データを、各装置に転送する場合には、所定のソフトウェア、及びコンピュータ等と各装置とを接続するケーブル等を備えなければならないという問題がある。
また、他人が有するファクシミリ装置においては、ユーザが所望する通信相手のファクシミリ番号は登録されておらず、ユーザがファクシミリ番号を入力しなければならない。更に、他人が有するファクシミリ装置を借りる場合には、ファクシミリ通信にかかった料金が、ファクシミリ装置に請求されるため、該ファクシミリ装置を所有する他人が、前記料金を支払わなければならず、ユーザは、出先のファクシミリ装置を気軽に借りることが困難であるという問題があった。
【０００６】
本発明は以上のような事情に鑑みてなされたものであり、通信装置に設定された宛先情報を、無線通信方式に対応する宛先信号として画像送信装置へ送信し、前記宛先信号を受信した画像送信装置が、受信した宛先信号が示す宛先へ、取得した画像データを送信することにより、画像送信装置と通信装置とをケーブルを介して接続する必要がなく、ユーザが宛先情報を入力する必要もない画像送信システムを提供することを目的とする。
【０００７】
本発明の他の目的は、画像送信装置から料金通知信号を受信した通信装置が、受信した料金通知信号に対応する料金信号を、無線通信方式に従って画像送信装置へ送信することにより、通信装置が、画像送信装置による画像データの送信処理に必要な料金を、無線通信により支払う画像送信システムを提供することにある。
【０００８】
本発明の更に他の目的は、宛先情報を無線通信方式に対応する宛先信号として受信し、受信した宛先信号が示す宛先へ、取得した画像データを送信することにより、画像データを送信すべき宛先情報を取得するために、ケーブルを介して他の装置と接続される必要がなく、ユーザが宛先情報を入力する必要もない画像送信装置を提供することにある。
【０００９】
本発明の更に他の目的は、設定された宛先情報を、無線通信方式に対応する宛先信号として外部の装置へ送信し、該外部の装置から、前記宛先信号が示す宛先への通信に必要な料金を通知された場合に、通知された料金に相当する料金信号を、前記無線通信方式に従って前記外部の装置に送信することにより、外部の装置による画像データの送信処理に必要な料金を、無線通信方式による料金信号により支払う通信装置を提供することにある。
【００１０】
【課題を解決するための手段】
第１発明に係る画像送信システムは、画像データ及び該画像データを送信する宛先情報を取得し、取得した画像データを、前記宛先情報が示す宛先へ送信する画像送信装置と、前記宛先情報を設定する通信装置とを備える画像送信システムにおいて、前記通信装置は、設定された前記宛先情報を、無線通信方式に対応する宛先信号として前記画像送信装置へ送信する手段を備え、前記画像送信装置は、前記通信装置から受信した宛先信号が示す宛先へ、前記画像データを送信する送信手段と、該送信手段による前記画像データの送信処理に必要な料金を算出する算出手段と、該算出手段により算出された料金を通知する料金通知信号を、前記無線通信方式により前記通信装置へ送信する料金通知手段とを備えることを特徴とする。
【００１１】
第１発明による場合は、通信装置が、設定された宛先情報を、無線通信方式に対応する宛先信号として画像送信装置へ送信し、前記宛先信号を受信した画像送信装置が、受信した宛先信号が示す宛先へ、取得した画像データを送信することにより、画像送信装置が、画像データを送信すべき宛先情報を取得するために、ケーブルを介して通信装置と接続される必要がなく、また、ユーザが宛先情報を入力する必要もない。
また、画像送信装置が、前記画像データの送信処理に必要な料金を算出し、算出された料金を通知する料金通知信号を前記通信装置に送信することにより、通信装置から取得した宛先への画像データの送信処理に必要な料金を、通信装置に通知することができる。
【００１２】
第２発明に係る画像送信システムは、第１発明に係る画像送信システムにおいて、前記通信装置は、受信した前記料金通知信号に対応する料金信号を、前記無線通信方式により前記画像送信装置へ送信する料金送信手段を備え、前記画像送信装置は、前記通信装置から前記料金信号を受信する料金受信手段を備えることを特徴とする。
【００１３】
第２発明による場合は、画像送信装置から料金通知信号を受信した通信装置が、受信した料金通知信号に対応する料金信号を、無線通信方式に従って画像送信装置へ送信することにより、通信装置が、画像送信装置による画像データの送信処理に必要な料金を、煩雑な手続を行わずに支払うことができる。
【００１４】
第３発明に係る画像送信装置は、画像データ及び該画像データを送信する宛先情報を取得し、取得した画像データを、前記宛先情報が示す宛先へ送信する画像送信装置において、前記宛先情報を、無線通信方式に対応する宛先信号として受信する受信手段と、該受信手段により受信した宛先信号が示す宛先へ前記画像データを送信する送信手段と、該送信手段による前記画像データの送信処理に必要な料金を算出する算出手段と、該算出手段により算出された料金を通知する料金通知信号を、前記無線通信方式により外部へ送信する料金通知手段とを備えることを特徴とする。
【００１５】
第３発明による場合は、宛先情報を無線通信方式に対応する宛先信号として受信し、受信した宛先信号が示す宛先へ、取得した画像データを送信することにより、画像データを送信すべき宛先情報を取得するために、ケーブルを介して他の装置と接続される必要がなく、また、ユーザが宛先情報を入力する必要もない。また、前記画像データの送信処理に必要な料金を算出し、算出された料金を通知する料金通知信号を、前記無線通信方式により外部へ送信することにより、外部の装置から取得した宛先信号が示す宛先への画像データの送信処理に必要な料金を、前記外部の装置に通知することができる。
【００１６】
第４発明に係る通信装置は、宛先情報を設定する通信装置において、設定された前記宛先情報を、無線通信方式に対応する宛先信号として外部へ送信する手段と、外部から料金を通知する料金通知信号を、前記無線通信方式により受信する受信手段と、該受信手段により受信した料金通知信号に対応する料金信号を、前記無線通信方式により外部へ送信する料金送信手段とを備えることを特徴とする。
【００１７】
第４発明による場合は、設定された宛先情報を、無線通信方式に対応する宛先信号として外部の装置へ送信し、該外部の装置から、前記宛先信号が示す宛先への通信に必要な料金を通知された場合に、通知された料金に相当する料金信号を、前記無線通信方式に従って前記外部の装置に送信することにより、外部の装置による画像データの送信処理に必要な料金を、煩雑な手続を行わずに支払うことができる。
【００１８】
【発明の実施の形態】
以下に、本発明に係る画像送信システムを、画像送信装置にファクシミリ装置を、通信装置に携帯電話機を利用した実施の形態に基づいて詳述する。
図１は本発明に係る画像送信システムの構成を示す模式図、図２は本発明に係る画像送信システムの構成を示すブロック図であり、図中１００は本発明に係る画像送信システムを示している。この画像送信システム１００は、ファクシミリ通信を行うファクシミリ装置１と、携帯電話機３とが、ブルートゥース規格に準ずる無線通信方式による通信信号を送受信することにより構成されている。尚、ファクシミリ装置１と携帯電話機３とは、ブルートゥース規格に限られず、他の無線通信方式により通信可能に構成されることもできる。
【００１９】
ファクシミリ装置１は、制御部１０，ＲＯＭ１１，ＲＡＭ１２，読取部１３，ＣＯＤＥＣ１４，画像メモリ１５，ＮＣＵ（Ｎｅｔｗｏｒｋ  Ｃｏｎｔｒｏｌ  Ｕｎｉｔ）１６，モデム１７，表示部１８，操作部１９，記録部２０，ブルートゥース規格に準ずる通信方式による通信を行う無線通信インタフェース２１等を備えている。
制御部１０は、具体的にはＣＰＵで構成され、バスを介してファクシミリ装置１の上述したようなハードウェア各部と接続されており、それらを制御すると共に、ＲＯＭ１１に格納されたコンピュータプログラムに従って、種々のソフトウェア的機能を実行する。また、制御部１０は、時間を計測する手段を有しており、ファクシミリ通信を行う際に、時間を計測し、所定の時間間隔毎に料金を加算することにより、ファクシミリ通信に必要な料金を算出する算出手段としても動作する。
【００２０】
モデム１７は、ファクシミリ通信が可能なファックスモデムで構成されており、ＮＣＵ１６と直接的にも接続されている。ＮＣＵ１６は、公衆電話回線網Ｌと接続されており、必要に応じてモデム１７を公衆電話回線網Ｌと接続する。
ＲＯＭ１１は、本発明のファクシミリ装置１の動作に必要な種々のコンピュータプログラム，ブルートゥース規格による通信を制御する通信制御プログラムを予め格納している。
【００２１】
ＲＡＭ１２は、ＳＲＡＭ又はフラッシュメモリ等で構成され、制御部１０によるコンピュータプログラムの実行時に発生する一時的なデータを記憶する。尚、ＲＡＭ１２にフラッシュメモリを使用した場合には、停電，ファクシミリ装置１の移動等のために電源が遮断された場合であっても記憶内容が失われることはない。
ここで、ファクシミリ装置１は、ブルートゥース規格による無線通信方式に対応する電子マネーによる決済機能も備えており、ＲＡＭ１２には電子マネー信号を記憶させておくマネー領域が設けてある。
【００２２】
読取部１３は、例えばＣＣＤ（Ｃｈａｒｇｅ  Ｃｏｕｐｌｅｄ  Ｄｅｖｉｃｅ）  を利用したスキャナにより原稿を読み取り、読み取った画像データをドットイメージデータとして取得し、ＣＯＤＥＣ１４に入力する。
ＣＯＤＥＣ１４は、読取部１３により取得した画像データを符号化し、また、外部から受信し、画像メモリ１５に記憶されている画像データを、必要に応じて復号する。
画像メモリ１５は、ＤＲＡＭ等で構成され、ＣＯＤＥＣ１４により符号化された画像データを格納し、また公衆電話回線網Ｌ及びモデム１７を介して受信した画像データを格納する。
【００２３】
表示部１８は、液晶ディスプレイ（ＬＣＤ）等の表示装置であり、ファクシミリ装置１の動作状態、ユーザにより入力された通信相手のファクシミリ番号等の宛先情報及び通信の利用状態等の表示を行う。
操作部１９は、ファクシミリ装置１を操作するために必要な文字キー，テンキー，短縮ダイヤルキー，ワンタッチダイヤルキー，各種のファンクションキー等を備えている。尚、表示部１８をタッチパネル方式とすることにより、操作部１９の各種のキーの一部又は全部を代用することも可能である。
記録部２０は、電子写真方式のプリンタ装置であって、受信した画像データ、読取部１３により読み取った画像データをハードコピーとして、Ａ３縦，Ｂ４縦，Ａ４縦，Ｂ５横及びＡ５横等の各サイズの記録紙から最適なサイズの記録紙を選択して記録する。
【００２４】
一方、携帯電話機３は、ＭＰＵ３０，ＲＯＭ３１，ＲＡＭ３２，表示部３３，操作部３４，ブルートゥース規格に準ずる通信方式による通信を行う無線通信インタフェース３５等を備えている。
ＭＰＵ３０は、バスを介して携帯電話機３の上述したようなハードウェア各部と接続されており、それらを制御すると共に、ＲＯＭ３１に格納されたコンピュータプログラムに従って、種々のソフトウェア的機能を実行する。
【００２５】
ＲＯＭ３１は、本発明の携帯電話機３の動作に必要な種々のコンピュータプログラム，ブルートゥース規格による通信を制御する通信制御プログラムを予め格納している。ＲＡＭ３２は、ＳＲＡＭ又はフラッシュメモリ等で構成され、ソフトウェアの実行時に発生する一時的なデータを記憶する。また、ユーザにより操作部３４から入力され、登録された通信相手の電話番号，ファクシミリ番号及び宛先名等の宛先情報である電話帳データを記憶している。更に、携帯電話機３は、ブルートゥース規格による無線通信方式に対応する電子マネーによる決済機能に備えており、ＲＡＭ３２には電子マネー信号を記憶させておくマネー領域が設けてある。
【００２６】
表示部３３は、液晶ディスプレイ（ＬＣＤ）等の表示装置であり、携帯電話機１の動作状態及びユーザへ通知すべきデータ等の表示を行う。
操作部３４は、携帯電話機３を操作するために必要なテンキー，ユーザにより選択された各機能の実行を命令する決定キー，各種のファンクションキー等を備えている。尚、表示部３３をタッチパネル方式とすることにより、操作部３４の各種のキーの一部又は全部を代用することも可能である。
【００２７】
上述した構成のファクシミリ装置１は、読取部１３により読み取られ、ＣＯＤＥＣ１４により符号化された画像データを一旦画像メモリ１５に記憶させておき、画像メモリ１５から読み出した画像データを、ユーザにより設定された通信相手のファクシミリ装置に送信する。
本実施の形態のファクシミリ装置１及び携帯電話機３は、ブルートゥース規格に準ずる無線通信方式による通信信号及び電子マネー信号の送受信を可能としており、携帯電話機３に予め記憶してある電話帳データから、ユーザが所望する宛先情報であるファクシミリ番号を読み出し、ブルートゥース規格による宛先信号としてファクシミリ装置１に送信することにより、ファクシミリ装置１は、ファクシミリ通信を行う宛先信号を受信することができる。尚、ユーザが所望する宛先情報が、電話帳データにない場合には、ユーザにより携帯電話機３の操作部３４から宛先のファクシミリ番号を入力し、入力されたファクシミリ番号を、ブルートゥースによりファクシミリ装置１に送信することもできる。
【００２８】
また、ファクシミリ装置１は、受信した宛先信号が示すファクシミリ装置への画像データの送信処理にかかった通信料金を算出しており、算出した料金を、ブルートゥースによる料金通知信号により携帯電話機３に通知する料金通知手段としても機能する。
更に、ファクシミリ装置１に料金を通知された携帯電話機３は、自身のＲＡＭ３２のマネー領域に記憶してある電子マネーから、料金信号として、前記料金に相当する電子マネー信号をファクシミリ装置１に送信する料金送信手段を備えており、この電子マネー信号により、携帯電話機３が、ファクシミリ通信に必要であって料金をファクシミリ装置１に支払うことができる。
【００２９】
以下に、上述した構成の画像送信システム１００における画像データの送信処理について説明する。図３及び図４は本発明に係る画像送信システム１００における画像データの送信処理を示すフローチャートである。
ユーザは、例えば出先において、出先のファクシミリ装置１によりファクシミリ通信を行いたい場合、このファクシミリ装置１の原稿載置台上に原稿を載置させ、自身が有する携帯電話機３に備えるメニュー欄等から、ブルートゥース規格の無線通信方式によりファクシミリ装置１にファクシミリ通信の実行を命令すべく、ファクシミリ通信処理を選択する。またユーザは、携帯電話機３に予め登録されている電話帳データから、通信相手の宛先番号であるファクシミリ番号を選択し、操作部３４に備える決定キーをオンする。尚、通信相手のファクシミリ番号が電話帳データに登録されていない場合には、ユーザは、携帯電話機３の操作部３４からファクシミリ番号を入力し、決定キーをオンする。
【００３０】
携帯電話機３において、ＭＰＵ３０は、上述のようなユーザの選択により、実行すべき処理としてファクシミリ通信の選択を受け付ける（Ｓ１）。
また、ＭＰＵ３０は、ユーザにより、ＲＡＭ３２に記憶してある電話帳データから所望の宛先番号の選択を受け付けたか否かを判断しており（Ｓ２）、宛先番号の選択を受け付けたと判断した場合、選択された宛先番号を、電話帳データから読み出す（Ｓ３）。一方、宛先番号の選択を受け付けていないと判断した場合、即ち、電話帳データに所望の宛先番号が登録されていない場合は、ユーザが操作部３４を操作することにより入力された宛先番号を取得する（Ｓ４）。
【００３１】
また、携帯電話機３のＭＰＵ３０は、ユーザにより操作部３４の決定キーがオンされた場合（Ｓ５）、ファクシミリ装置１に、設定された宛先番号へのファクシミリ通信を指示する（Ｓ６）。
ファクシミリ装置１において、制御部１０は、携帯電話機３からのファクシミリ通信の実行指示待ち状態となっており、携帯電話機３から、ファクシミリ通信の宛先番号を受信した場合（Ｓ７）、受信した宛先番号が示す宛先に発呼する（Ｓ８）。
【００３２】
ファクシミリ装置１の制御部１０は、発呼した宛先から、通信可能の応答があるか否かを判断しており（Ｓ９）、通信可能の応答がないと判断した場合、ファクシミリ通信ができないことを携帯電話機３に通知し（Ｓ１０）、ファクシミリ通信ができないことを通知された携帯電話機３のＭＰＵ３０は、ファクシミリ通信ができなかったことを表示部３３に表示し（Ｓ１１）、ユーザに報知する。
また、ステップＳ９において、発呼した宛先から通信可能の応答があったと判断した場合、応答があった宛先とのファクシミリ通信に必要な料金のカウントを開始するとともに（Ｓ１２）、原稿載置台上に載置された原稿を読み取り、取得した画像データを宛先のファクシミリ装置に送信する（Ｓ１３）。
【００３３】
ファクシミリ装置１の制御部１０は、全ての画像データの送信が終了した場合、接続されていた回線を切断するとともに（Ｓ１４）、ファクシミリ通信に必要な料金のカウントも終了する（Ｓ１５）。
また、ファクシミリ装置１の制御部１０は、ファクシミリ通信中にカウントした料金を、ブルートゥースによる料金通知信号として携帯電話機３に送信し（Ｓ１６）、携帯電話機３のＭＰＵ３０は、ファクシミリ装置１から前記料金通知信号を受信する（Ｓ１７）。
【００３４】
次に携帯電話機３のＭＰＵ３０は、ＲＡＭ３２のマネー領域に記憶してある電子マネーから、受信した料金通知信号が示す料金を減算するとともに、この料金に相当する電子マネー信号をファクシミリ装置１に送信し（Ｓ１８）、前記電子マネー信号を受信したファクシミリ装置１の制御部１０は、受信した電子マネー信号をＲＡＭ１２のマネー領域に記憶する（Ｓ１９）。
【００３５】
上述したように、携帯電話機３の電話帳データに所望するファクシミリ番号が予め登録されている場合に、電話帳データから読み出したファクシミリ番号をブルートゥースによる宛先信号としてファクシミリ装置１に送信することにより、所望するファクシミリ番号を、ファクシミリ装置１の操作部１９から入力する必要がない。
また、ファクシミリ装置１が、設定されたファクシミリ装置へ画像データを送信した際に必要となった料金を、携帯電話機３が電子マネーでファクシミリ装置１に支払うことにより、出先において、他人のファクシミリ装置１を用いる場合であっても、ファクシミリ通信に必要な料金を煩雑な処理を行わずに支払うことができ、出先にあるファクシミリ装置１を気軽に借りることができる。
【００３６】
上述した実施の形態では、ファクシミリ装置１は、携帯電話機３からのファクシミリ通信の実行指示待ち状態となっているが、当然、ユーザによる操作部１９からのファクシミリ通信の実行指示待ちともなっている。
また、ファクシミリ装置１と携帯電話機３とは、ブルートゥースによる無線通信方式により、宛先情報であるファクシミリ番号の送受信、及び電子マネー信号の送受信を行っているが、ファクシミリ装置１又は携帯電話機３が電子マネー機能を備えず、ファクシミリ通信に必要となった料金の精算を行わない構成とすることもできる。
【００３７】
【発明の効果】
第１発明による場合は、通信装置が、設定された宛先情報を、無線通信方式に対応する宛先信号として画像送信装置へ送信し、前記宛先信号を受信した画像送信装置が、受信した宛先信号が示す宛先へ、取得した画像データを送信することにより、画像送信装置が、画像データを送信すべき宛先情報を取得するために、ケーブルを介して通信装置と接続される必要がなく、また、ユーザが宛先情報を入力する必要もない。また、画像送信装置が、前記画像データの送信処理に必要な料金を算出し、算出された料金を通知する料金通知信号を前記通信装置に送信することにより、通信装置から取得した宛先への画像データの送信処理に必要な料金を、通信装置に通知することができる。
【００３８】
第２発明による場合は、画像送信装置から料金通知信号を受信した通信装置が、受信した料金通知信号に対応する料金信号を、無線通信方式に従って画像送信装置へ送信することにより、通信装置が、画像送信装置による画像データの送信処理に必要な料金を、煩雑な手続を行わずに支払うことができる。
【００３９】
第３発明による場合は、宛先情報を無線通信方式に対応する宛先信号として受信し、受信した宛先信号が示す宛先へ、取得した画像データを送信することにより、画像データを送信すべき宛先情報を取得するために、ケーブルを介して他の装置と接続される必要がなく、また、ユーザが宛先情報を入力する必要もない。また、前記画像データの送信処理に必要な料金を算出し、算出された料金を通知する料金通知信号を、前記無線通信方式により外部へ送信することにより、外部の装置から取得した宛先信号が示す宛先への画像データの送信処理に必要な料金を、前記外部の装置に通知することができる。
【００４０】
第４発明による場合は、設定された宛先情報を、無線通信方式に対応する宛先信号として外部の装置へ送信し、該外部の装置から、前記宛先信号が示す宛先への通信に必要な料金を通知された場合に、通知された料金に相当する料金信号を、前記無線通信方式に従って前記外部の装置に送信することにより、外部の装置による画像データの送信処理に必要な料金を、煩雑な手続を行わずに支払うことができる。
【図面の簡単な説明】
【図１】本発明に係る画像送信システムの構成を示す模式図である。
【図２】本発明に係る画像送信システムの構成を示すブロック図である。
【図３】本発明に係る画像送信システムにおける画像データの送信処理を示すフローチャートである。
【図４】本発明に係る画像送信システムにおける画像データの送信処理を示すフローチャートである。
【符号の説明】
１００  画像送信システム
１  ファクシミリ装置（画像送信装置）
２１  無線通信インタフェース
３  携帯電話機（通信装置）
３５  無線通信インタフェース
【図１】
2004165737.tif 000003
【図２】
2004165737.tif 000004
【図３】
2004165737.tif 000005
【図４】
2004165737.tif 000006